【手続補正書】
【提出日】平成17年1月28日(2005.1.28)
【手続補正１】
【補正対象書類名】明細書
【補正対象項目名】発明の名称
【補正方法】変更
【補正の内容】
【発明の名称】直交周波数分割多重信号復調装置及び直交周波数分割多重信号復調方法
【手続補正２】
【補正対象書類名】明細書
【補正対象項目名】特許請求の範囲
【補正方法】変更
【補正の内容】
【特許請求の範囲】
【請求項１】
特定のパターンで配置されたサブキャリアの集合を毎シンボル同じ位相で変調したパイロット信号を含む直交周波数分割多重信号を復調する装置であって、
前記直交周波数分割多重信号をフーリエ変換して周波数領域の信号に変換するフーリエ変換手段と、
前記フーリエ変換手段の出力に含まれる前記パイロット信号から全サブキャリアに共通な位相変動を推定する位相変動推定手段と、
前記位相変動推定手段の出力に基づいて全サブキャリアに共通な位相変動を補正する位相変動補正手段とを具備することを特徴とする直交周波数分割多重信号復調装置。
【請求項２】
特定のパターンで配置されたサブキャリアの集合をｍ相ＰＳＫ変調（ｍは自然数）したパイロット信号を含む直交周波数分割多重信号を復調する装置であって、
前記直交周波数分割多重信号をフーリエ変換して周波数領域の信号に変換するフーリエ変換手段と、
前記フーリエ変換手段の出力に含まれる前記パイロット信号から全サブキャリアに共通な位相変動を推定する位相変動推定手段と、
前記位相変動推定手段の出力に基づいて全サブキャリアに共通な位相変動を補正する位相変動補正手段とを具備することを特徴とする直交周波数分割多重信号復調装置。
【請求項３】
特定のパターンで配置されたサブキャリアの集合を毎シンボル同じ位相で変調したパイロット信号を含む直交周波数分割多重信号を復調する装置であって、
前記直交周波数分割多重信号をフーリエ変換して周波数領域の信号に変換するフーリエ変換手段と、
前記フーリエ変換手段の出力をシンボル間で差動検波する差動検波手段と、
前記パイロット信号に対応した前記差動検波手段の出力の位相をシンボル内で平均化する位相平均手段と、
前記位相平均手段の出力に基づいて全サブキャリアに共通な位相変動を補正する位相変動補正手段とを具備することを特徴とする直交周波数分割多重信号復調装置。
【請求項４】
特定のパターンで配置されたサブキャリアの集合をｍ相ＰＳＫ変調（ｍは自然数）したパイロット信号を含む直交周波数分割多重信号を復調する装置であって、
前記直交周波数分割多重信号をフーリエ変換して周波数領域の信号に変換するフーリエ変換手段と、
前記フーリエ変換手段の出力をシンボル間で差動検波する差動検波手段と、
前記差動検波手段の出力をｍ乗するべき乗手段と、
前記パイロット信号に対応した前記べき乗手段の出力の位相をシンボル内で平均化する位相平均手段と、
前記位相平均手段の出力を１／ｍ倍する係数手段と、
前記係数手段の出力に基づいて全サブキャリアに共通な位相変動を補正する位相変動補正手段とを具備することを特徴とする直交周波数分割多重信号復調装置。
【請求項５】
特定のパターンで配置されたサブキャリアの集合をｍ相ＰＳＫ変調（ｍは自然数）したパイロット信号を含む直交周波数分割多重信号を復調する装置であって、
前記直交周波数分割多重信号をフーリエ変換して周波数領域の信号に変換するフーリエ変換手段と、
前記フーリエ変換手段の出力をシンボル間で差動検波する差動検波手段と、
前記パイロット信号に対応した前記差動検波手段の出力が、位相によりｍ個に分割された複素平面領域のいずれの領域に含まれるかを判定し、該判定結果に応じて前記差動検波手段の出力を２π／ｍの整数倍だけ回転させることにより、回転後の位相が常に同じ領域に含まれるようにする位相回転手段と、
前記パイロット信号に対応した前記位相回転手段の出力の位相をシンボル内で平均化する位相平均手段と、
前記位相平均手段の出力に基づいて全サブキャリアに共通な位相変動を補正する位相変動補正手段とを具備することを特徴とする直交周波数分割多重信号復調装置。
【請求項６】
前記位相変動補正手段は、前記フーリエ変換手段の出力を各々のサブキャリアの変調方式に応じて検波する検波手段に組み込まれていることを特徴とする請求項１乃至５のいずれかに記載の直交周波数分割多重信号復調装置。
【請求項７】
特定のパターンで配置されたサブキャリアの集合を毎シンボル同じ位相で変調したパイロット信号を含む直交周波数分割多重信号を復調する方法であって、
前記直交周波数分割多重信号をフーリエ変換して周波数領域の直交周波数分割多重信号を生成するステップと、
前記周波数領域の直交周波数分割多重信号に含まれる前記パイロット信号から全サブキャリアに共通な位相変動を推定して位相変動推定信号を生成するステップと、
前記位相変動推定信号に基づいて全サブキャリアに共通な位相変動を補正するステップとを有する直交周波数分割多重信号復調方法。
【請求項８】
特定のパターンで配置されたサブキャリアの集合をｍ相ＰＳＫ変調（ｍは自然数）したパイロット信号を含む直交周波数分割多重信号を復調する方法であって、
前記直交周波数分割多重信号をフーリエ変換して周波数領域の直交周波数分割多重信号を生成するステップと、
前記周波数領域の直交周波数分割多重信号に含まれる前記パイロット信号から全サブキャリアに共通な位相変動を推定して位相変動推定信号を生成するステップと、
前記位相変動推定信号に基づいて全サブキャリアに共通な位相変動を補正するステップとを有する直交周波数分割多重信号復調方法。
【請求項９】
特定のパターンで配置されたサブキャリアの集合を毎シンボル同じ位相で変調したパイロット信号を含む直交周波数分割多重信号を復調する方法であって、
前記直交周波数分割多重信号をフーリエ変換して周波数領域の直交周波数分割多重信号を生成するステップと、
前記周波数領域の直交周波数分割多重信号をシンボル間で差動検波して差動検波信号を生成するステップと、
前記パイロット信号に対応した前記差動検波信号の位相をシンボル内で平均化して位相変動推定信号を生成するステップと、
前記位相変動推定信号に基づいて全サブキャリアに共通な位相変動を補正するステップとを有する直交周波数分割多重信号復調方法。
【請求項１０】
特定のパターンで配置されたサブキャリアの集合をｍ相ＰＳＫ変調（ｍは自然数）したパイロット信号を含む直交周波数分割多重信号を復調する方法であって、
前記直交周波数分割多重信号をフーリエ変換して周波数領域の直交周波数分割多重信号を生成するステップと、
前記周波数領域の直交周波数分割多重信号をシンボル間で差動検波して差動検波信号を生成するステップと、
前記差動検波信号をｍ乗してべき乗信号を生成するステップと、
前記パイロット信号に対応した前記べき乗信号の位相をシンボル内で平均化した後、１／ｍ倍して位相変動推定信号を生成するステップと、
前記位相変動推定信号に基づいて全サブキャリアに共通な位相変動を補正するステップとを有する直交周波数分割多重信号復調方法。
【請求項１１】
特定のパターンで配置されたサブキャリアの集合をｍ相ＰＳＫ変調（ｍは自然数）したパイロット信号を含む直交周波数分割多重信号を復調する方法であって、
前記直交周波数分割多重信号をフーリエ変換して周波数領域の直交周波数分割多重信号を生成するステップと、
前記周波数領域の直交周波数分割多重信号をシンボル間で差動検波して差動検波信号を生成するステップと、
前記パイロット信号に対応した前記差動検波信号が、位相によりｍ個に分割された複素平面領域のいずれの領域に含まれるかを判定し、該判定結果に応じて前記差動検波信号を２π／ｍの整数倍だけ回転させることにより、回転後の位相が常に同じ領域に含まれるようにした後、その位相をシンボル内で平均化して位相変動推定信号を生成するステップと、
前記位相変動推定信号に基づいて全サブキャリアに共通な位相変動を補正するステップとを有する直交周波数分割多重信号復調方法。
【請求項１２】
前記全サブキャリアに共通な位相変動を補正するステップは、前記周波数領域の直交周波数分割多重信号を各々のサブキャリアの変調方式に応じて検波するステップに組み込まれていることを特徴とする請求項７乃至１１のいずれかに記載の直交周波数分割多重信号復調方法。
【手続補正３】
【補正対象書類名】明細書
【補正対象項目名】００１９
【補正方法】変更
【補正の内容】
【００１９】
【課題を解決するための手段】
上記課題を解決するために、本発明に係わるＯＦＤＭ信号復調装置及びＯＦＤＭ信号復調方法は、以下のように構成される。
【手続補正４】
【補正対象書類名】明細書
【補正対象項目名】００２０
【補正方法】変更
【補正の内容】
【００２０】
（１）特定のパターンで配置されたサブキャリアの集合を毎シンボル同じ位相で変調したパイロット信号を含む直交周波数分割多重信号を復調する装置であって、前記直交周波数分割多重信号をフーリエ変換して周波数領域の信号に変換するフーリエ変換手段と、
前記フーリエ変換手段の出力に含まれる前記パイロット信号から全サブキャリアに共通な位相変動を推定する位相変動推定手段と、前記位相変動推定手段の出力に基づいて全サブキャリアに共通な位相変動を補正する位相変動補正手段とを具備して構成される。
【手続補正５】
【補正対象書類名】明細書
【補正対象項目名】００２１
【補正方法】変更
【補正の内容】
【００２１】
（２）特定のパターンで配置されたサブキャリアの集合をｍ相ＰＳＫ変調（ｍは自然数）したパイロット信号を含む直交周波数分割多重信号を復調する装置であって、前記直交周波数分割多重信号をフーリエ変換して周波数領域の信号に変換するフーリエ変換手段と、前記フーリエ変換手段の出力に含まれる前記パイロット信号から全サブキャリアに共通な位相変動を推定する位相変動推定手段と、前記位相変動推定手段の出力に基づいて全サブキャリアに共通な位相変動を補正する位相変動補正手段とを具備して構成される。
【手続補正６】
【補正対象書類名】明細書
【補正対象項目名】００２２
【補正方法】変更
【補正の内容】
【００２２】
（３）特定のパターンで配置されたサブキャリアの集合を毎シンボル同じ位相で変調したパイロット信号を含む直交周波数分割多重信号を復調する装置であって、前記直交周波数分割多重信号をフーリエ変換して周波数領域の信号に変換するフーリエ変換手段と、前記フーリエ変換手段の出力をシンボル間で差動検波する差動検波手段と、前記パイロット信号に対応した前記差動検波手段の出力の位相をシンボル内で平均化する位相平均手段と、前記位相平均手段の出力に基づいて全サブキャリアに共通な位相変動を補正する位相変動補正手段とを具備して構成される。
【手続補正７】
【補正対象書類名】明細書
【補正対象項目名】００２３
【補正方法】変更
【補正の内容】
【００２３】
（４）特定のパターンで配置されたサブキャリアの集合をｍ相ＰＳＫ変調（ｍは自然数）したパイロット信号を含む直交周波数分割多重信号を復調する装置であって、前記直交周波数分割多重信号をフーリエ変換して周波数領域の信号に変換するフーリエ変換手段と、前記フーリエ変換手段の出力をシンボル間で差動検波する差動検波手段と、前記差動検波手段の出力をｍ乗するべき乗手段と、前記パイロット信号に対応した前記べき乗手段の出力の位相をシンボル内で平均化する位相平均手段と、前記位相平均手段の出力を１／ｍ倍する係数手段と、前記係数手段の出力に基づいて全サブキャリアに共通な位相変動を補正する位相変動補正手段とを具備して構成される。
【手続補正８】
【補正対象書類名】明細書
【補正対象項目名】００２４
【補正方法】変更
【補正の内容】
【００２４】
（５）特定のパターンで配置されたサブキャリアの集合をｍ相ＰＳＫ変調（ｍは自然数）したパイロット信号を含む直交周波数分割多重信号を復調する装置であって、前記直交周波数分割多重信号をフーリエ変換して周波数領域の信号に変換するフーリエ変換手段と、前記フーリエ変換手段の出力をシンボル間で差動検波する差動検波手段と、前記パイロット信号に対応した前記差動検波手段の出力が、位相によりｍ個に分割された複素平面領域のいずれの領域に含まれるかを判定し、該判定結果に応じて前記差動検波手段の出力を２π／ｍの整数倍だけ回転させることにより、回転後の位相が常に同じ領域に含まれるようにする位相回転手段と、前記パイロット信号に対応した前記位相回転手段の出力の位相をシンボル内で平均化する位相平均手段と、前記位相平均手段の出力に基づいて全サブキャリアに共通な位相変動を補正する位相変動補正手段とを具備して構成される。
【手続補正９】
【補正対象書類名】明細書
【補正対象項目名】００２５
【補正方法】変更
【補正の内容】
【００２５】
（６）（１）乃至（５）のいずれかの構成にあっては、前記位相変動補正手段は、前記フーリエ変換手段の出力を各々のサブキャリアの変調方式に応じて検波する検波手段に組み込まれている構成とする。
【手続補正１０】
【補正対象書類名】明細書
【補正対象項目名】００２６
【補正方法】変更
【補正の内容】
【００２６】
（７）特定のパターンで配置されたサブキャリアの集合を毎シンボル同じ位相で変調したパイロット信号を含む直交周波数分割多重信号を復調する方法であって、前記直交周波数分割多重信号をフーリエ変換して周波数領域の直交周波数分割多重信号を生成するステップと、前記周波数領域の直交周波数分割多重信号に含まれる前記パイロット信号から全サブキャリアに共通な位相変動を推定して位相変動推定信号を生成するステップと、前記位相変動推定信号に基づいて全サブキャリアに共通な位相変動を補正するステップとを有する。
【手続補正１１】
【補正対象書類名】明細書
【補正対象項目名】００２７
【補正方法】変更
【補正の内容】
【００２７】
（８）特定のパターンで配置されたサブキャリアの集合をｍ相ＰＳＫ変調（ｍは自然数）したパイロット信号を含む直交周波数分割多重信号を復調する方法であって、前記直交周波数分割多重信号をフーリエ変換して周波数領域の直交周波数分割多重信号を生成するステップと、前記周波数領域の直交周波数分割多重信号に含まれる前記パイロット信号から全サブキャリアに共通な位相変動を推定して位相変動推定信号を生成するステップと、前記位相変動推定信号に基づいて全サブキャリアに共通な位相変動を補正するステップとを有する。
【手続補正１２】
【補正対象書類名】明細書
【補正対象項目名】００２８
【補正方法】変更
【補正の内容】
【００２８】
（９）特定のパターンで配置されたサブキャリアの集合を毎シンボル同じ位相で変調したパイロット信号を含む直交周波数分割多重信号を復調する方法であって、前記直交周波数分割多重信号をフーリエ変換して周波数領域の直交周波数分割多重信号を生成するステップと、前記周波数領域の直交周波数分割多重信号をシンボル間で差動検波して差動検波信号を生成するステップと、前記パイロット信号に対応した前記差動検波信号の位相をシンボル内で平均化して位相変動推定信号を生成するステップと、前記位相変動推定信号に基づいて全サブキャリアに共通な位相変動を補正するステップとを有する。
【手続補正１３】
【補正対象書類名】明細書
【補正対象項目名】００２９
【補正方法】変更
【補正の内容】
【００２９】
（１０）特定のパターンで配置されたサブキャリアの集合をｍ相ＰＳＫ変調（ｍは自然数）したパイロット信号を含む直交周波数分割多重信号を復調する方法であって、前記直交周波数分割多重信号をフーリエ変換して周波数領域の直交周波数分割多重信号を生成するステップと、前記周波数領域の直交周波数分割多重信号をシンボル間で差動検波して差動検波信号を生成するステップと、前記差動検波信号をｍ乗してべき乗信号を生成するステップと、前記パイロット信号に対応した前記べき乗信号の位相をシンボル内で平均化した後、１／ｍ倍して位相変動推定信号を生成するステップと、前記位相変動推定信号に基づいて全サブキャリアに共通な位相変動を補正するステップとを有する。
【手続補正１４】
【補正対象書類名】明細書
【補正対象項目名】００３０
【補正方法】変更
【補正の内容】
【００３０】
（１１）特定のパターンで配置されたサブキャリアの集合をｍ相ＰＳＫ変調（ｍは自然数）したパイロット信号を含む直交周波数分割多重信号を復調する方法であって、前記直交周波数分割多重信号をフーリエ変換して周波数領域の直交周波数分割多重信号を生成するステップと、前記周波数領域の直交周波数分割多重信号をシンボル間で差動検波して差動検波信号を生成するステップと、前記パイロット信号に対応した前記差動検波信号が、位相によりｍ個に分割された複素平面領域のいずれの領域に含まれるかを判定し、該判定結果に応じて前記差動検波信号を２π／ｍの整数倍だけ回転させることにより、回転後の位相が常に同じ領域に含まれるようにした後、その位相をシンボル内で平均化して位相変動推定信号を生成するステップと、前記位相変動推定信号に基づいて全サブキャリアに共通な位相変動を補正するステップとを有する。
【手続補正１５】
【補正対象書類名】明細書
【補正対象項目名】００３１
【補正方法】変更
【補正の内容】
【００３１】
（１２）（７）乃至（１１）のいずれかの構成にあっては、前記全サブキャリアに共通な位相変動を補正するステップは、前記周波数領域の直交周波数分割多重信号を各々のサブキャリアの変調方式に応じて検波するステップに組み込まれている構成とする。
【手続補正１６】
【補正対象書類名】明細書
【補正対象項目名】００３２
【補正方法】削除
【補正の内容】
【手続補正１７】
【補正対象書類名】明細書
【補正対象項目名】００３３
【補正方法】削除
【補正の内容】
【手続補正１８】
【補正対象書類名】明細書
【補正対象項目名】００３４
【補正方法】削除
【補正の内容】
【手続補正１９】
【補正対象書類名】明細書
【補正対象項目名】００３５
【補正方法】削除
【補正の内容】
【手続補正２０】
【補正対象書類名】明細書
【補正対象項目名】００３６
【補正方法】削除
【補正の内容】
【手続補正２１】
【補正対象書類名】明細書
【補正対象項目名】００３７
【補正方法】削除
【補正の内容】
【手続補正２２】
【補正対象書類名】明細書
【補正対象項目名】００３８
【補正方法】削除
【補正の内容】
【手続補正２３】
【補正対象書類名】明細書
【補正対象項目名】００３９
【補正方法】削除
【補正の内容】
【手続補正２４】
【補正対象書類名】明細書
【補正対象項目名】００４０
【補正方法】削除
【補正の内容】
【手続補正２５】
【補正対象書類名】明細書
【補正対象項目名】００４１
【補正方法】削除
【補正の内容】
【手続補正２６】
【補正対象書類名】明細書
【補正対象項目名】００４２
【補正方法】削除
【補正の内容】
【手続補正２７】
【補正対象書類名】明細書
【補正対象項目名】００４３
【補正方法】削除
【補正の内容】
【手続補正２８】
【補正対象書類名】明細書
【補正対象項目名】００４４
【補正方法】削除
【補正の内容】
【手続補正２９】
【補正対象書類名】明細書
【補正対象項目名】００４５
【補正方法】削除
【補正の内容】
【手続補正３０】
【補正対象書類名】明細書
【補正対象項目名】００４６
【補正方法】削除
【補正の内容】
【手続補正３１】
【補正対象書類名】明細書
【補正対象項目名】００４７
【補正方法】削除
【補正の内容】
【手続補正３２】
【補正対象書類名】明細書
【補正対象項目名】００４８
【補正方法】削除
【補正の内容】